(57)【要約】      （修正有）【課題】トコジラミが隠れることができる家具及び室内の小さく暗い空間を検査するように設計された特別設計のプロービング装置を用いてトコジラミを識別するための方法及び装置を提供する。【解決手段】カメラと、プロービングユニットの端部のライト部品と、トコジラミの存在のより詳細な検査および検証のために計算装置に無線で送信される画像の検査および捕捉する装置を安定化させるための２点スペーサとを用いて検査空間の画像を捕捉する。【選択図】なし【特許請求の範囲】
【請求項１】
トコジラミを検査するための装置であって、
内視鏡と、
計算装置と
を備える装置。
【請求項２】
ミラーをさらに含む請求項１に記載の装置。
【請求項３】
ライトをさらに含む請求項１または２に記載の装置。
【請求項４】
入れ子式ハンドルをさらに備える請求項１に記載の装置。
【請求項５】
前記内視鏡は屈曲していることのある請求項１に記載の装置。
【請求項６】
２つの点を有するスペーサをさらに備える請求項１に記載の装置。
【請求項７】
トコジラミを検出するための装置であって、
ライト部品と、
カメラ部品と、
受信装置に送信されるべくカメラ部品によって撮影された画像の検査および捕捉の間、装置を安定させるための２つの点を有するスペーサと、
を備える装置。
【請求項８】
取り外し可能なシャークフィンアタッチメントを更に含む請求項７に記載の装置。
【請求項９】
ワイヤレス接続を更に備える請求項７に記載の装置。
【請求項１０】
請求項７に記載の装置を用いてトコジラミを検出する方法であって、
前記装置をスマートフォンに繋げるステップと、
トコジラミのためにベッドを検査するステップと、
来襲者を前記装置で撮影するステップと、
を含む方法。
【請求項１１】
トコジラミの侵入を検査し、捕獲し、報告するためのソフトウェアアプリケーションをさらに含む請求項１０に記載の方法。
【発明の詳細な説明】
【技術分野】
【０００１】
本発明は、昆虫または害虫の検出および監視方法および装置に関する。本発明は、特に、トコジラミを検出するのに適している。
【背景技術】
【０００２】
シメックス・レクチュラリウス(Cimex lectularius)、または一般に知られているようなトコジラミは、ヒトの血液を食べる、通常は夜に食べる昆虫である。それらに噛まれると、発疹、水疱、アレルギー反応が起こる。これらの害虫は、非常に望ましくなく、新しいい場所に移動するために、荷物や他の物品に付着するヒッチハイカー昆虫である。ホテルのような企業は、トコジラミの存在を避けるために長い時間をかけている。ホテルがトコジラミが居るという評判をホテルが有する場合、ビジネスは深刻かつマイナスの影響を受ける可能性がある。
【０００３】
トコジラミは、典型的には荷物のような個人用品に乗って新しい場所に運ばれることにより拡散する。トコジラミは、ホテルや他の高密度の地域で見つかることが一般的である。日中、トコジラミは、マットレスの縫い目や近くの壁の小さなひび割れのような暗い領域に隠れている。トコジラミは、夜間に餌を食べ、体温によりホストとなる人に誘引される。
【０００４】
感染は急速に増殖することがある。一匹のトコジラミは、僅か三か月の間で三百匹の成虫と千匹の新たな卵となることができる。したがって、駆除処理が迅速に開始できるように、寄生の最初の徴候を特定することが必須である。
【０００５】
トコジラミの侵入を避けるためには、害虫の徴候の各使用の前後に、トコジラミの睡眠施設を綿密に検査することが必須である。
【０００６】
マットレス、ヘッドボード、及びボックススプリングの周囲の空間をトコジラミについて適切に検査することは、それらが好む環境が小さく暗い性質であるため、困難であることがある。検出されないように、トコジラミは亀裂および隙間に隠れている。
【０００７】
成熟したトコジラミは、サイズと外観においてリンゴの種子または亜麻の断片と非常に類似している。幼虫は、サイズがさらに小さく、または色がより明るく、識別するのが困難である。
【０００８】
加えて、様々な産業において様々な製品に対して、それらの製品を使用し易くし、より実用的にするために、ワイヤレス技術が使用されてきた。ワイヤレス技術は、送信機から受信機に情報を伝送するために無線周波技術を利用し、コードのついた製品を不要にした。
【０００９】
本発明はこの課題を解決する。
【発明の概要】
【００１０】
本発明は、マットレス、ボックススプリング、ピクチャーフレーム、ナイトスタンド、およびトコジラミを発見できるベッドまたは部屋の小さくて狭い他の亀裂および隙間を包囲する空間を含む、小さくて暗い空間を検査するように設計された特別設計のプローブ装置を使用してトコジラミを識別する。本発明は、検査された空間の画像を、プロービングユニットの端部のカメラで撮像し、トコジラミの存在のより近接した検査および検証のため、その画像を計算装置に送信する。
【００１１】
本発明の一実施形態では、プロービングユニットは、完全な検査を容易にするために、屈曲位置に操作することができる。プロービングユニットは、ユーザによって決定される角度で曲げられてもよい。
【００１２】
その装置は、有線接続によって計算装置に取り付けられてもよく、その装置は、計算装置にワイヤレスで接続されてもよい。本発明の一実施形態では、無線周波数技術を使用して、情報を計算装置に通信する。送信機は、プロービングユニット内に配置され、受信器は、計算ユニット内に配置される。プロービングユニットで取り込んだ画像は、プロービングユニットで取り込んだ情報を符号化する電磁（無線）信号によって計算ユニットに伝送される。受信器は、信号を受け取り、それを復号し、それを計算装置に渡す。
【００１３】
送信機および受信機は、共通の識別コードを使用して、同じチャネル上で同じ周波数で動作するように、ペアリングされてもよい。ペアリング方法には、ペアリングシークエンス、プリペアリングおよび外部ドライバーが含まれるが、これらに限定されない。
【００１４】
本発明はまた、干渉、または無許可の受信機への意図しない送信からの保護のために、データを読み取り不可能なフォーマットに符号化するための暗号化スキームを含むことができる。
【００１５】
本発明の別の実施形態では、赤外線技術を使用して、送信機と受信機との間で通信することができる。
【００１６】
ブルートゥース（登録商標）接続はまた、送信機および受信機から信号を送信するために使用されてもよい。
【００１７】
アンテナを使用して、送信機から受信機に信号を送信してもよい。
【００１８】
Wi-Fi（登録商標）接続を使用して、ワンドから計算装置に信号を送信することができる。
【００１９】
また、内視鏡と計算装置との間のワイヤレス接続として、既存の、およびまだ開発されていない他のタイプの技術を使用することも企図される。
【００２０】
本発明の一実施形態では、カメラは、プローブ、例えば内視鏡の一端に配置される。カメラは、患部に侵入するトコジラミの画像を捕捉するために利用される。カメラは、計算装置、例えばスマートフォンへの内視鏡による送電のための鮮明な画像を捕捉するためにライト及び／又はミラー機構を備えることができる。捕捉された画像は、トコジラミの侵入の存在を確認するために用いることができる。
【００２１】
本発明の好ましい実施形態では、検査中にプローブを安定させるために、シャークフィンまたは２つの点を有するスペーサがプローブの一端に配置される。カメラは、トコジラミまたは他の害虫の画像を検出し、捕捉するために、２つの点の間に配置される。
【００２２】
本発明の一実施形態では、侵入の存在を視覚的に確認する代わりに、トコジラミの存在を検出するように設計されたセンサを使用して、トコジラミが検出される。センサの種類には、以下に限定されるものではないが、臭い、熱及び光センサが含まれる。臭い、或いは嗅覚センサは、アルデヒドフェロモンの存在を検出する。トコジラミはアルデヒドフェロモンを放出するので、このフェロモンが存在する場合、それは寄生が存在することを示している。熱センサ、或いは熱サイン検出器は、トコジラミによって放出される熱の存在を検出する。従って、熱センサーが体熱の存在を検出した場合、目視確認が欠けていたとしても、それは検査領域にトコジラミが存在することを示している。光センサ、またはフォトセンサも、トコジラミの侵入の証拠を検出するために用いることができる。光センサは、赤外線または紫外線波長センサを含むことができる。
【００２３】
また、本発明は、トコジラミのために寝具類の検査に、本明細書に記載の装置を用いる方法を開示する。
【図面の簡単な説明】
【００２４】
【図１】本発明１０１の一実施形態を開示している。USB端部１０５は、計算装置に接続するためのものである。接続ワイヤ１０４は、USB端部を、後退位置にある内視鏡１０３と、トコジラミの画像を取り込むためのライト及びミラー部品を含むシャークフィンアタッチメント１０２とに接続する。
【図２】計算装置に取り付けるためのUSB端部１０５と、接続ワイヤ１０４と、延長位置にある内視鏡１０３と、ライトおよびミラー部品を含むシャークフィンアタッチメント１０２とを備える本発明の一実施形態を開示する。
【図３】シャークフィンアタッチメント１０２が接続されたプロービング装置１０３のカメラ端部を開示しており、シャークフィンアタッチメントは、ミラー部品３０２とライト部品３０１とを備えている。
【図４】シャークフィン３０１アタッチメント１０２が取り外された状態での、プロービング装置１０３のカメラ端部２０１を開示している。
【図５】本発明の２点スペーサの一実施形態を開示する。
【図６】計算装置が取り付けられた、屈曲位置にある本発明を開示する。
【図７】計算装置が取り付けられていない、屈曲位置にある本発明を開示している。
【図８】屈曲していない位置に対して屈曲位置にある本発明を開示している。
【図９】２点スペーサが取り外された本発明を開示する。
【発明を実施するための形態】
【００２５】
本明細書で用いられる場合、本明細書で使用される単語または用語は以下の定義を有する。
【００２６】
トコジラミは、ヒトの血液を食べる昆虫のシメックスレクチュラリウス種の一員である。それは、人間の住居に寄生することが知られている翼のない半葉性の虫である。
【００２７】
内視鏡は、指定された領域内のトコジラミを検査するための、照明された管状の器具である。
【００２８】
計算装置は、指定されたエリア内のトコジラミの検査のためにカメラからの画像送信を受信することができるスマートフォン、タブレット、PC、または他のデバイスである。
【００２９】
カメラは、記録または電気インパルスへの変換のために、そこを通して物体の画像が表面に投影されるシャッタとレンズが取り付けられた開口部を有する遮光室からなる装置である。
【００３０】
鏡とは、反射によって画像を形成する、磨かれた滑らかな表面のことである。
【００３１】
シャークフィンは、本発明のカメラ端部に配置するための着脱可能なアタッチメントである。それは、画像がカメラから遠すぎたり近すぎたりせず、鮮明な画像が捕捉され得るように、本発明のカメラ構成要素の上に反射させるために、本発明のミラー構成要素の上に画像を捕捉することができる。ライト部品は、画像がミラー部品上に現れ、カメラ部品上に反射されるようにすることができる。
【００３２】
一実施形態では、シャークフィンは、検査中に装置を安定化して画像を捕捉するために、プローブのカメラ端部に配置されることのある２点スペーサアタッチメントである。本発明の別の実施形態では、２点スペーサは、取り外し可能なアタッチメントではなく、内視鏡の固定部分である。
【００３３】
検査者は、開示発明の使用者である。
【００３４】
本発明の一実施形態では、プロービング装置は、トコジラミの最適な検査を容易にするために４５度の角度で曲げることができる。装置はまた、トコジラミまたは他の害虫の検査のために９０度の角度で曲げられてもよい。この装置は、トコジラミの最適な検査を容易にするような如何なる角度にも曲げることができる。
【００３５】
ワイヤレス接続は、物理的なワイヤ、コード、またはケーブルを使用せずに行われる伝送である。
【００３６】
本発明の一実施形態では、装置は、検査空間内のトコジラミの画像を捕捉するための内視鏡を含む。
【００３７】
本発明の別の実施形態では、装置は、より良好な検査のために暗い空間を照明するために使用されるライト部品をさらに備える。好ましい実施形態では、そのライトはLEDライトである。
【００３８】
本発明の別の実施形態では、装置は、ミラー部品をさらに備える。ミラー部品は、カメラ部品によるキャプチャのために、検査表面からの画像を反射するために使用される。
【００３９】
本発明の別の実施形態では、装置のミラーおよび／またはライト部品は、取り外し可能な「シャークフィン」部品を含むことができる。シャークフィン部品は、検査空間内のトコジラミの鮮明な画像を捕捉するために、内視鏡のカメラ端部に取り付けられる。その画像は、視認および伝送のためのカメラレンズからの最適な距離で撮影される。
【００４０】
本発明の一実施形態では、内視鏡は、ユーザが検査者が到達することが困難な空間にアクセスすることを可能にする入れ子式機能を含む。例えば、検査者がボックススプリングの中央を検査するためにベッドの下を巡回することは困難である。本発明の望遠鏡機能を使用すると、内視鏡のカメラ端部は、検査のためにボックススプリングの中間部に到達することができ、空間の画像を、計算装置に伝送するためにカメラによって捕捉することができる。
【００４１】
内視鏡はまた、検査者の近くの小さな空間を検査するために、引っ込められた位置で使用されてもよい。
【００４２】
本発明の別の実施形態では、カメラによってキャプチャされた画像は、受信デバイスに送信される。スマートフォンは、消費者によって一般に使用される装置であり、計算装置がスマートフォンであることは、本発明の好ましい実施形態である。
【００４３】
しかしながら、スマートフォン、タブレット、コンピュータ、またはカメラによって送信された画像をキャプチャするために使用することができる他の装置が、受信装置であり得ることは期待されている。
【００４４】
本発明の一実施形態では、内視鏡は、ワイヤレスUSB接続を介して計算装置に取り付けられる。カメラから計算装置への送電は、無線で行われる。
【００４５】
本発明はまた、本明細書に開示される装置を使用してトコジラミを検出するための方法を開示する。本発明の一実施形態では、内視鏡は、無線接続を使用してスマートフォンに接続される。内視鏡は、入れ子式機能が可能になるように細長くなっている。内視鏡に取り付けられているライトは点灯する。検査者は、マットレスとボックススプリングとの間の空間、ベッドの下、ヘッドボードの背後、および睡眠領域または他の家具の一部を囲む領域の小さな亀裂を含む、探索される領域に対して内視鏡のカメラ端を配置する。検査された空間の画像は、捕捉されて計算装置に送信される。伝送された画像がトコジラミを開示している場合、検査されたスペース内にトコジラミが侵入していることが確認される。
【００４６】
本発明の別の実施形態では、計算装置上のソフトウェアプログラムまたはモバイルアプリケーションを使用して、検査を案内し、検査者に命令し、画像を取り込み、画像を保存し、および／または画像を別のデバイスに送信する。
【図１】
2020156466.tif 000002
【図２】
2020156466.tif 000003
【図３】
2020156466.tif 000004
【図４】
2020156466.tif 000005
【図５】
2020156466.tif 000006
【図６】
2020156466.tif 000007
【図７】
2020156466.tif 000008
【図８】
2020156466.tif 000009
【図９】
2020156466.tif 000010
【外国語明細書】
2020156466000001.pdf